(57)【要約】【課題】術中にスコープを一時的に保持することができ、また手術・処置に必要な器具の増加の抑制が可能となり、利便性の高いスコープホルダーを提供する。【解決手段】スコープが載置される保持部１３を支持する第１支柱部１４と、カート１０に取り付けられ、上記第１支柱部１４を第１軸１９で軸支する第２支柱部１５とを備え、上記第１軸１９に、操作レバー２０を有する第１ネジ締め固定部１８を設け、この第１ネジ締め固定部１８にて、第１支柱部１４の第２支柱部１５に対する傾斜角が変えられるようにする。即ち、下側へ回動させた第１支柱部１４の保持部１３にスコープを一時的に載置することができる。また、第１支柱部の下端部を挿入するための嵌合穴を複数の角度方向に設けた挿入固定具を設け、この挿入固定具にて第１支柱部を所定の角度で固定するようにしてもよい。【選択図】図１
2009183358.tif 000002
【特許請求の範囲】
【請求項１】
内視鏡装置の各機器を載せるカートに配置され、スコープを保持するための内視鏡装置用カートのスコープホルダーであって、
スコープが載置される保持部を支持する第１支柱部と、
上記カートに取り付けられるか又は該カート自体の骨部材として設けられ、上記第１支柱部を支持する第２支柱部と、
上記第１支柱部の垂直方向に対する傾斜角を変化させる角度変換手段と、を設けた内視鏡装置用カートのスコープホルダー。
【請求項２】
上記角度変換手段として、上記第１支柱部を上記第２支柱部に回動自在に軸支する第１軸と、この第１軸で第２支柱部を第１支柱部にネジ締め固定する第１ネジ締め固定部とを設け、この第１ネジ締め固定部にて上記第１支柱部を任意の傾斜角で固定することを特徴とする請求項１記載の内視鏡装置用カートのスコープホルダー。
【請求項３】
上記角度変換手段として、上記第１支柱部の端部を挿入するための嵌合穴を所定の角度方向に複数設けた挿入固定具を設け、この挿入固定具にて上記第１支柱部を所定の角度で固定することを特徴とする請求項１記載の内視鏡装置用カートのスコープホルダー。
【請求項４】
上記角度変換手段として、上記第１支柱部を上記第２支柱部に回動自在に軸支する第１軸と、上記第２支柱部を上記カートに回動自在に軸支する第２軸と、この第２軸で第１支柱部をカートにネジ締め固定する第２ネジ締め固定部と、上記第１支柱部を略水平方向に維持するための水平維持部材と、を設けたことを特徴とする請求項１記載の内視鏡装置用カートのスコープホルダー。
【発明の詳細な説明】
【技術分野】
【０００１】
本発明は、内視鏡の使用に必要な装置類を載置する内視鏡装置用カートに配置され、スコープを支承するホルダーで、このスコープホルダーの構成に関する。
【背景技術】
【０００２】
従来から、内視鏡装置では、プロセッサ装置、光源装置、モニタ、記録装置、吸引物容器等の各種装置を効率よく配置し、かつ搬出入を容易にするためにカートが用いられており、このカートには、スコープ（内視鏡）自体を支承するホルダー（ハンガーとも言われる）が設けられる。
【０００３】
図７には、従来の内視鏡装置用カート及びスコープホルダーが示されており、図示されるように、カート１の左右の一方の側面に、スコープホルダー２が取り付けられる。このスコープホルダー２は、支柱部２ａの上部に、保持部（支承部）２ｂが設けられており、この保持部２ｂに、スコープ３が掛けられる。
【特許文献１】ＷＯ ２００７/０７７６１０ Ａ１
【特許文献２】特開平１０−２５８０１７号公報
【発明の開示】
【発明が解決しようとする課題】
【０００４】
しかしながら、従来の内視鏡装置用カート１のスコープホルダー２では、図７に示されるように、スコープ３の挿入部３ａが長いため、保持部２ｂが比較的高い位置にあり、スコープ挿入部３ａを被観察体内に挿入しているときには、保持部２ｂにスコープ３を掛けることはできない。
【０００５】
即ち、スコープ３の使用中では、術中の各種処置やその他の準備のため、術者がスコープ３を離さなければならないこともあり、この場合は、補助スタッフ等が代わりにスコープ３を持ったりしており、スコープ３を一時的に保持できるものがあれば便利となる。一方、このような利便性に応え、専用のスコープホルダーを製作することもできるが、この場合は、手術・処置に必要な器具が増え、手術・処置室が混雑するという問題がある。
【０００６】
本発明は上記問題点に鑑みてなされたものであり、その目的は、術中にスコープを一時的に保持することができ、また手術・処置に必要な器具の増加の抑制が可能となり、利便性の高い内視鏡装置用カートのスコープホルダーを提供することにある。
【課題を解決するための手段】
【０００７】
上記目的を達成するために、請求項１の発明は、内視鏡装置の各機器を載せるカートに配置され、スコープを保持するための内視鏡装置用カートのスコープホルダーであって、スコープが載置される保持部を支持する第１支柱部と、上記カートに取り付けられるか又は該カート自体の骨部材として設けられ、上記第１支柱部を支持する第２支柱部と、上記第１支柱部の垂直方向に対する傾斜角を変化させる角度変換手段と、を設けたことを特徴とする。
請求項２の発明は、上記角度変換手段として、上記第１支柱部を上記第２支柱部に回動自在に軸支する第１軸と、この第１軸で第２支柱部を第１支柱部にネジ締め固定する第１ネジ締め固定部とを設け、この第１ネジ締め固定部にて上記第１支柱部を任意の傾斜角で固定することを特徴とする。
請求項３の発明は、上記角度変換手段として、上記第１支柱部の端部（例えば下端部）を挿入するための嵌合穴を所定の角度方向に複数設けた挿入固定具を設け、この挿入固定具にて上記第１支柱部を所定の角度で固定することを特徴とする。
請求項４の発明は、上記角度変換手段として、上記第１支柱部を上記第２支柱部に回動自在に軸支する第１軸と、上記第２支柱部を上記カートに回動自在に軸支する第２軸と、この第２軸で第１支柱部をカートにネジ締め固定する第２ネジ締め固定部と、上記第１支柱部を略水平方向に維持するための水平維持部材と、を設けたことを特徴とする。
【０００８】
上記請求項１乃至３の構成によれば、例えばカートに垂直配置された第１支柱部に対し第２支柱部を真っ直ぐにした垂直状態から水平方向へ向けて曲げることにより、保持部の高さ、保持部のカートからの距離を任意に設定することができ、術中でも、カートに配置したスコープホルダーの保持部へスコープを掛けることが可能となる。
【０００９】
上記請求項４の構成によれば、例えば第１支柱部をカート上部から下側に配置し、この第１支柱部に重なるように第２支柱部を折り畳んで収納すると共に、この第２支柱部を第１支柱部側から回動させて水平に配置することができ、この水平の第１支柱部の先端の保持部に、使用中のスコープを一時的に掛けることが可能となる。
【発明の効果】
【００１０】
本発明の内視鏡装置用カートのスコープホルダーによれば、術前のスコープを掛ける位置よりも低い位置で、カートから少し離れた位置に保持部が配置されるので、術中にスコープを一時的に保持することができる。また、ホルダーが従来と同様にカートに取り付けられているので、手術・処置に必要な器具の増加の抑制が可能で、利便性の高いスコープホルダーが得られるという効果がある。
【発明を実施するための最良の形態】
【００１１】
図１乃至図３には、第１実施例に係る内視鏡装置用カートのスコープホルダーの構成が示されており、この第１実施例は、従来と同様のスコープホルダーの途中で先端側が曲げられるようにしたものである。図１に示されるように、第１実施例では、カート１０の左側に、スコープホルダー１２Ａが取付け、固定されており、このスコープホルダー１２Ａは、図２に示されるように、スコープを掛ける保持部（ホルダー）１３、金属製棒状の第１支柱部１４、同様に金属製棒状の第２支柱部１５を有している。
【００１２】
上記保持部１３は、上記第１支柱部１４の上側先端に、軸１７を介して回動自在に取り付けられており、この保持部１３は、第１支柱部１４の傾斜角度が変わった場合でも、同一の姿勢が維持できるように構成される。
【００１３】
また、上記第２支柱部１５は、カート１０の底面板１０ａと中間板１０ｂに固定具で固定され、この第２支柱部１５に対し第１支柱部１４が第１ネジ締め固定部１８の第１軸１９で連結される。この第１ネジ締め固定部１８では、例えば図３（Ａ）に示されるように、第２支柱部１５の上側連結部に、雌ネジが形成された貫通孔１５ａが形成され、第１支柱部１４の下側連結部に、貫通孔１４ａが形成されると共に、これらの貫通孔１４ａ，１５ａに第１軸１９が挿入される。この第１軸１９には、その先端部に雄ネジが形成されると共に、その基端部に操作レバー２０が取付け・固定される。また、第２支柱部１５の連結部と第１支柱部１４の連結部の両方の合せ面（平面）には、固定状態を強固に保持するために、放射状に複数の突起２２が形成される。
【００１４】
このような第１実施例によれば、スコープホルダー１２Ａを、図１及び図２（Ａ）の鎖線で示される垂直配置の状態で使用できると共に、任意の角度に傾けた状態で使用することが可能になる。即ち、垂直配置状態から操作レバー２０を反時計方向に回して固定状態を解除し、第１支柱部１４を回動させて約１８０度の範囲の任意の位置に配置し、その後、操作レバー２０を時計方向に回して締め付けることにより、第１支柱部１４を任意の傾斜角度で固定することができる。これにより、被観察体内へスコープが挿入されているときであっても、各種処置やその他の準備のため、保持部１３にスコープを掛けることができる。
【００１５】
図４には、第２実施例の構成が示されており、この第２実施例は、第１支柱部を第２支柱部の複数の嵌合穴に挿入配置するように構成したものである。図４に示されるスコープホルダー１２Ｂでは、第２支柱部２４の上部に、例えば上向きの嵌合穴２５ａと斜め向きの嵌合穴２５ｂを有する挿入固定具２５が設けられる。この嵌合穴２５ａ，２５ｂの角度方向は、任意であり、水平方向でもよく、また３つ以上設けてもよい。一方、第１支柱部２７では、下端部が上記嵌合穴２５ａ，２５ｂに嵌合する形状とされ、上部には、第１実施例と同様に保持部１３が軸１７で取り付けられる。
【００１６】
このような第２実施例によれば、保持部１３を有する第１支柱部２７の下端部を一方の嵌合穴２５ａに挿入嵌合することにより、第１支柱部２７を垂直配置にしてスコープホルダー１２Ｂを使用できると共に、第１支柱部２７の下端部を他方の嵌合穴２５ｂに挿入嵌合することにより、第１支柱部２７を斜め配置にし、この斜め配置状態の保持部１３にスコープを掛けることができる。
【００１７】
図５及び図６には、第３実施例の構成が示されており、この第３実施例は、カート上部から第２支柱部を下側へ向けて配置し、第１支柱部を水平に配置するものである。この第３実施例のスコープホルダー１２Ｃは、各図に示されるように、第１支柱部３０に、上記実施例の場合と同様に保持部１３が設けられ、この第１支柱部３０が第２支柱部３１に第１軸３２を介して回動自在に取り付けられる。この第１支柱部３０と第２支柱部３１とは、互いに重なって折り畳むことができるように連結されると共に、第２支柱部３１の下端部に設けた水平維持部材（片）３３によって、第１支柱部３０が第２支持部３１に対し略直角（又は９０度よりも少し大きな角度）の位置で固定保持されるようになっている。
【００１８】
また、第２支柱部３１は、カート１０の上面板１０ｃの先端部に、第２軸３５を介してネジ締め固定できる第２ネジ締め固定部３６で取り付けられており、この第２ネジ締め固定部３６は、例えば第１実施例の第１ネジ締め固定部１８と同様の構成とし、操作レバー２０の代わりに操作ノブ３７を設けたものである。
【００１９】
このような第３実施例のスコープホルダー１２Ｃによれば、図６（Ｂ）の収納状態から、図６（Ａ）のように、第１支柱部３０を倒すように回動させ、水平維持部材３３を介して水平位置にセットすることができ、この水平位置の保持部１３にスコープを掛けることができる。このとき、第２ネジ締め固定部３６の操作レバー３７を操作することにより、第２支柱部３１の傾斜角度を変え、保持部１３の位置（高さ、カートからの距離）を調整することが可能である。
【００２０】
一方、使用しないときには、第１支柱部３０を起こすように回動させ、第２支柱部３１に重なる位置に戻して、第１支柱部３０（スコープホルダー１２Ｃ）をカート１０側へ収納することができる。なお、この収納状態で、第１支柱部３０を第２支柱部３１へ固定する固定手段を設けてもよい。また、第１支柱部３０と第２支柱部３１を連結する第１軸３２の部分に、第２ネジ締め固定部３５と同様のネジ締め固定部を設け、任意の角度で固定できるようにしてもよい。
【００２１】
なお、上記実施例では、第２支柱部１５，２４，３１をカート１０と別体に設けたが、カート１０を組み立てるための骨部材として設けられた縦方向の支持柱等を、第２支柱部として利用してもよい。
【図面の簡単な説明】
【００２２】
【図１】本発明の第１実施例に係る内視鏡装置用カート及びスコープホルダーの構成を示す斜視図である。
【図２】第１実施例のスコープホルダーの構成を示し、図（Ａ）は側面図、図（Ｂ）は一部断面正面図である。
【図３】第１実施例のスコープホルダーの第１ネジ締め固定部の構成を示す図である。
【図４】第２実施例のスコープホルダーの構成を示す図である。
【図５】第３実施例の内視鏡装置用カート及びスコープホルダーの構成を示す側面図である。
【図６】第３実施例のスコープホルダーの構成を示し、図（Ａ）は展開時の図、図（Ｂ）は収納時の図である。
【図７】従来の内視鏡装置用カートのスコープホルダーにスコープを掛ける際の構成を示す正面図である。
【符号の説明】
【００２３】
１，１０…カート、          １０Ｃ…上面板、
２，１２Ａ〜１２Ｃ…スコープホルダー、
２ｂ，１３…保持部、        １４，２７，３０…第１支柱部、
１５，２４，３１…第２支柱部、  １８…第１ネジ締め固定部、
１９，３２…第１軸、        ２０…操作レバー、
２５…挿入固定具、          ２５ａ，２５ｂ…嵌合穴、
３３…水平維持部材、        ３５…第２軸、
３６…第２ネジ締め固定部、  ３７…操作ノブ。
【図１】
2009183358.tif 000003
【図２】
2009183358.tif 000004
【図３】
2009183358.tif 000005
【図４】
2009183358.tif 000006
【図５】
2009183358.tif 000007
【図６】
2009183358.tif 000008
【図７】
2009183358.tif 000009